【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
伝送要求への承認を発行するかどうか、または現在の伝送レートを調整するかどうかを判断するスケジューラと、ここで、前記判断は、少なくとも１つ以上のチャネル条件に基づく、
確認応答を表す第１の表示および第２の表示を備える第１のメッセージを生成し、ここで、前記第２の表示は、前記スケジューラが前記伝送要求への承認を発行するように選択するとき、承認表示を備え、前記第２の表示は、前記スケジューラが前記現在の伝送レートを調整するように選択するとき、代わりにデータレート制御表示を備える、
前記第２の表示がデータレート制御表示を備えるとき、第２のメッセージを生成する
メッセージ生成器と
を備える装置。
【請求項２】
前記データレート制御表示が、レート制御コマンドである請求項１記載の装置。
【請求項３】
前記レート制御コマンドが、レート増加を示す請求項２記載の装置。
【請求項４】
前記レート制御コマンドが、レート低減を示す請求項２記載の装置。
【請求項５】
前記レート制御コマンドが、レート保持を示す請求項２記載の装置。
【請求項６】
パケットを受信する受信機と、
前記受信されたパケットを復号する復号器と、
伝送要求への承認を発行すること、または現在の伝送レートを調整することから選択するスケジューラと、
確認応答または否定の確認応答のうちの１つと関係付けられる第１の値および第２の値を備える第１の信号を生成し、ここで、前記第２の値は、前記スケジューラが承認を発行するように選択するとき、承認表示と関係付けられ、前記第２の値は、前記スケジューラが現在の伝送レートを調整するように選択するとき、代わりにレート制御表示と関係付けられる、
前記第１の信号の前記第２の値が、レート制御表示と関係付けられるとき、レート制御コマンドに対応して、少なくとも１つの値を備える第２の信号を条件付きで生成する
メッセージ生成器と
を備える装置。
【請求項７】
前記第１の信号が前記レート制御表示を含むとき、前記第１の信号を伝送し、前記第２の信号を条件付きで伝送する送信機をさらに備える請求項６記載の装置。
【請求項８】
前記受信機が１つ以上の伝送要求および１つ以上の自律伝送を受信し、前記スケジューラが前記１つ以上の伝送要求および前記１つ以上の自律伝送に応答して、共有資源を割り振る請求項６記載の装置。
【請求項９】
肯定または否定の確認応答のうちの１つを備える第１の表示、および承認表示またはデータレート制御表示のうちの１つを表す第２の表示を含む第１の信号を監視する受信機と、ここで、前記受信機は、前記第２の表示がデータレート制御表示を表すとき、レート制御コマンドを含む第２の信号を条件付きで監視する、
前記第１の信号から前記第２の表示を復号し、前記第２の信号から前記レート制御コマンドを復号するメッセージ復号器と
を備える装置。
【請求項１０】
前記レート制御コマンドが、複数の値の１つであり、前記複数の値の１つ以上が、レート増加を示す請求項９記載の装置。
【請求項１１】
前記レート制御コマンドが、複数の値の１つであり、前記複数の値の１つ以上が、レート低減を示す請求項９記載の装置。
【請求項１２】
前記レート制御コマンドが、複数の値の１つであり、前記複数の値の１つ以上が、レート保持を示す請求項９記載の装置。
【請求項１３】
パケットを伝送する送信機をさらに備える請求項９記載の装置。
【請求項１４】
前記第１の信号が、前記伝送されたパケットが確認応答されていないことを示すとき、前記送信機が前記パケットを再送する請求項１３記載の装置。
【請求項１５】
前記第２の信号が、レート制御コマンドを備え、前記送信機が、レート制御コマンドにしたがって判断されたレートで第２のパケットを伝送する請求項１３記載の装置。
【請求項１６】
伝送要求への承認を発行するかどうか、または現在の伝送レートを調整するかどうかを判断するスケジューラと、ここで、前記判断は、少なくともチャネル条件に基づく、
確認応答を表す第１の表示および第２の表示を備える第１のメッセージを生成し、ここで、前記第２の表示は、前記スケジューラが前記伝送要求への承認を発行するように選択するとき、承認表示を備え、前記第２の表示は、前記スケジューラが前記現在の伝送レートを調整するように選択するとき、代わりにデータレート表示を備える、
前記第２の表示がデータレート制御表示を備えるとき、レート制御コマンドを備える第２のメッセージを生成する
メッセージ生成器と
を備える基地局。
【請求項１７】
確認応答を表す第１の表示、および承認表示またはデータレート制御表示のうちの１つを表す第２の表示を含む第１の信号を受信する受信機と、ここで、前記受信機は、前記第２の表示がデータレート制御表示を表すとき、レート制御コマンドを含む第２の信号を条件付きで受信する、
前記受信された第１の信号から前記第２の表示を復号し、前記受信された第２の信号から前記レート制御コマンドを復号するメッセージ復号器と
を備える遠隔局。
【請求項１８】
伝送要求への承認を発行するかどうか、または現在の伝送レートを調整するかどうかを判断するスケジューラと、ここで、前記判断は、少なくとも現在のチャネル条件に基づく、
確認応答を表す第１の表示および第２の表示を備える第１のメッセージを生成し、ここで、前記第２の表示は、前記スケジューラが前記伝送要求への承認を発行するように選択するとき、承認表示を備え、前記第２の表示は、前記スケジューラが現在の伝送レートを調整するように選択するとき、代わりにデータレート制御表示を備える、
前記第２の表示がデータレート制御表示を備えるとき、レート制御コマンドを備える第２のメッセージを生成する
メッセージ生成器と
を備える基地局を含む無線通信システム。
【請求項１９】
肯定または否定の確認応答のうちの１つを表す第１の表示を備え、さらに承認表示またはデータレート制御表示のうちの１つを表す第２の表示を備える第１の信号を監視する受信機と、ここで、前記受信機は、前記第２の表示がデータレート制御表示を表すときにのみ、レート制御コマンドを含む第２の信号を条件付きで監視する、
前記受信された第１の信号から前記第２の表示を復号し、前記受信された第２の信号から前記レート制御コマンドを復号するメッセージ復号器と
を備える、遠隔局を含む無線通信システム。
【請求項２０】
伝送要求への承認を発行するかどうか、または現在の伝送レートを調整するかどうかを判断することと、
確認応答または否定の確認応答のうちの１つを表す第１の値を備え、さらに第２の値を備える第１の信号を生成することと、ここで、前記第２の値は、それが承認を発行するように判断されるとき、承認表示と関係付けられ、前記第２の値は、それが現在の伝送レートを調整するように判断されるとき、代わりにレート制御表示と関係付けられる、
前記第１の信号の前記第２の値がレート制御表示と関係付けられるとき、レート制御コマンドに対応して、少なくとも１つの値を備える第２の信号を条件付きで生成することと
を行なうメモリに記憶された命令を実行するプロセッサを用いることを備えるレート制御方法。
【請求項２１】
パケットを受信することと、
前記パケットを復号することと、
伝送要求に応答して承認を発行するかどうか、または現在の伝送レートを調整するかどうかを判断することと、
前記受信されたパケットが正確に復号されたかどうかを示す第１の信号を生成することと、ここで、前記第１の信号は、前記判断に基づいて承認表示またはレート制御表示のうちの１つをさらに含む、
前記第１の信号が、レート制御表示を含むとき、レート制御コマンドを備える第２の信号を生成することと
を行なうメモリに記憶された命令を実行するプロセッサを採用することを備えるレート制御方法。
【請求項２２】
前記第１の信号が、正確な復号の確認応答と、レート制御コマンドがないこととを示す１つ以上の値を備える請求項２１記載の方法。
【請求項２３】
正確な復号の確認応答と、レート制御コマンドがないこととを示す前記１つ以上の値が、先の承認を無効にする請求項２２記載の方法。
【請求項２４】
前記第１の信号が、正確な復号の確認応答と、レート制御コマンドを示す１つ以上の値を備える請求項２１記載の方法。
【請求項２５】
前記第１の信号が、前記復号されたパケットの否定の確認応答と、レート制御コマンドがないこととに対応して、伝送がないことを示す値を備える請求項２１記載の方法。
【請求項２６】
前記レート制御コマンドが、レート増加を示す請求項２１記載の方法。
【請求項２７】
前記レート制御コマンドが、レート低減を示す請求項２１記載の方法。
【請求項２８】
前記レート制御コマンドが、レート保持を示す請求項２１記載の方法。
【請求項２９】
前記第２の信号が、レート保持の伝送がないことを示す値を備える請求項２８記載の方法。
【請求項３０】
１つ以上の伝送要求を受信することと、
１つ以上の自律伝送を受信することと、
前記１つ以上の伝送要求および前記１つ以上の自律伝送に応答して、共有資源を割り振ることと
をさらに備える請求項２１記載の方法。
【請求項３１】
受信された伝送要求に応答して、前記第１の信号における前記承認表示を含むことをさらに備える請求項２１記載の方法。
【請求項３２】
前記承認表示が前記第１の信号に含まれるとき、前記第２の信号が生成されない請求項３１記載の方法。
【請求項３３】
前記第１の信号を伝送することと、
前記レート制御表示が発行されるときにのみ、前記第２の信号を条件付きで伝送することと
をさらに備える請求項２１記載の方法。
【請求項３４】
前記受信されたパケットが、サブパケットである請求項２１記載の方法。
【請求項３５】
以前に受信された対応するサブパケットに応答して、前記復号が行われる請求項３４記載の方法。
【請求項３６】
確認応答または否定の確認応答のうちの１つと関係付けられる第１の値を備え、さらに第２の値を備える第１の信号を受信することと、ここで、前記第２の値は、伝送要求承認が承認されるとき、承認表示と関係付けられ、前記第２の値は、現在の伝送レートが調整されるとき、代わりにデータレート制御表示と関係付けられる、
前記第１の受信された信号の前記第２の値がレート制御コマンドと関係付けられるとき、レート制御コマンドに対応して、少なくとも１つの値を備える第２の信号を条件付きで受信することと
を行なうメモリに記憶された命令を実行するプロセッサを採用することを備えるレート制御方法。
【請求項３７】
パケットを伝送することと、
前記伝送されたパケットが確認応答されたかどうか、およびレート制御コマンドが発行されることになるかどうか、または代わりに伝送要求が承認されることになるかどうかを示す第１の信号を受信することと、
レート制御コマンドが発行されることを前記第１の信号が示すときにのみ、前記レート制御コマンドを備える第２の信号を受信することと
を行なうメモリに記憶された命令を実行するプロセッサを採用することを備えるレート制御方法。
【請求項３８】
前記第１の信号が、正確な復号の確認応答と、レート制御コマンドがないこととを示す値を備える請求項３７記載の方法。
【請求項３９】
正確な復号の確認応答と、レート制御コマンドがないこととを示す前記値が、先の承認を無効にする請求項３８記載の方法。
【請求項４０】
前記第１の信号が、正確な復号の確認応答と、レート制御コマンドとを示す値を備える請求項３７記載の方法。
【請求項４１】
前記第１の信号が、前記復号されたパケットの否定の確認応答と、レート制御コマンドがないこととに対応して、伝送がないことを示す値を備える請求項３７記載の方法。
【請求項４２】
前記レート制御コマンドが、レート増加を示す請求項３７記載の方法。
【請求項４３】
前記レート制御コマンドが、レート低減を示す請求項３７記載の方法。
【請求項４４】
前記レート制御コマンドが、レート保持を示す請求項３７記載の方法。
【請求項４５】
前記第２の信号が、レート保持の伝送がないことを示す値を備える請求項４４記載の方法。
【請求項４６】
前記第１の受信された信号が、前記伝送されたパケットが確認応答されなかったことを示すとき、前記パケットを再送することをさらに備える請求項３７記載の方法。
【請求項４７】
前記第１の受信された信号が、前記伝送されたパケットが確認応答されたことを示すとき、第２のパケットを伝送することをさらに備える請求項３７記載の方法。
【請求項４８】
レート制御コマンドが、前記第２の信号上で受信されるとき、前記第２のパケットが、前記レート制御コマンドにしたがって判断されるレートで伝送される請求項３７記載の方法。
【請求項４９】
前記伝送されたパケットが、サブパケットである請求項３７記載の方法。
【請求項５０】
伝送要求への承認を発行するかどうか、または現在の伝送レートを調整するかどうかを判断する手段と、
確認応答または否定の確認応答のうちの１つと関係付けられた第１の値を備え、さらに第２の値を備える第１の信号を生成する手段と、ここで、前記第２の値は、それが承認を発行するように判断されるとき、承認表示と関係付けられ、前記第２の値は、それが現在の伝送レートを調整するように判断されるとき、代わりにレート制御表示と関係付けられる、
前記第１の信号の前記第２の値がレート制御表示と関係付けられるとき、レート制御コマンドに対応して、少なくとも１つの値を備える第２の信号を条件付きで生成する手段と
を備える装置。
【請求項５１】
パケットを受信する手段と、
前記パケットを復号する手段と、
伝送要求への承認を発行するかどうか、または現在の伝送レートを調整するかどうかを判断する手段と、
前記受信されたパケットが正確に復号されたかどうかを示し、レート制御コマンドが発行されることになるかどうか、または代わりに伝送要求が承認されることになるかどうかをさらに示す第１の信号を生成する手段と、
前記第１の信号は、レート制御コマンドが発行されることを示すときにのみ、前記レート制御コマンドを備える第２の信号を生成する手段と
を備えるレート制御方法。
【請求項５２】
確認応答または否定の確認応答のうちの１つと関係付けられる第１の値を備え、さらに第２の値を備える第１の信号を受信する手段と、ここで、前記第２の値は、伝送要求が承認されるとき、承認表示と関係付けられ、前記第２の値は、現在の伝送レートが調整されるとき、代わりにレート制御表示と関係付けられる、
前記第１の受信された信号の前記第２の値がレート制御表示と関係付けられるとき、制御コマンドに対応して、少なくとも１つの値を備える第２の信号を条件付きで受信する手段と
を備えるレート制御方法。
【請求項５３】
パケットを伝送する手段と、
前記伝送されたパケットが確認応答されたかどうかを示し、レート制御コマンドが発行されることになるかどうか、または代わりに伝送要求が承認されることになるかどうかをさらに示す第１の信号を受信する手段と、
前記第１の信号は、レート制御コマンドが発行されることを示すときにのみ、前記レート制御コマンドを備える第２の信号を受信する手段と
を備えるレート制御方法。
【請求項５４】
伝送要求への承認を発行するかどうか、または現在の伝送レートを調整するかどうかを判断する手段と、
確認応答または否定の確認応答のうちの１つと関係付けられる第１の値を備え、さらに第２の値を備える第１の信号を生成する手段と、ここで、第２の値は、それが承認を発行するように決定されるとき、承認表示と関係付けられ、前記第２の値は、それが現在の伝送レートを調整するように決定されるとき、代わりにレート制御表示と関係付けられる、
前記第１の信号の前記第２の値がレート制御表示と関係付けられるとき、レート制御コマンドに対応して、少なくとも１つの値を備える第２の信号を条件付きで生成する手段と
を備える、無線通信システム。
【請求項５５】
確認応答または否定の確認応答のうちの１つと関係付けられる第１の値を備え、さらに第２の値を備える第１の信号を受信する手段と、ここで、前記第２の値は、伝送要求が承認されるとき、承認表示と関係付けられ、前記第２の値は、現在の伝送レートが調整されるとき、代わりにデータレート制御表示に関係付けられる、
前記第１の受信された信号の前記第２の値がレート制御表示と関係付けられるとき、レート制御コマンドに対応して、少なくとも１つの値を備える第２の信号を条件付きで受信する手段とを備える無線通信システム。
【請求項５６】
伝送要求への承認を発行するかどうか、または現在の伝送レートを調整するかどうかを判断することと、
確認応答または否定の確認応答のうちの１つと関係付けられる第１の値を備え、さらに第２の値を備える第１の信号を生成することと、ここで、第２の値は、それが承認を発行するように決定されるとき、承認表示と関係付けられ、前記第２の値は、それが現在の伝送レートを調整するように決定されるとき、代わりにレート制御表示と関係付けられる、
前記第１の信号の前記第２の値がレート制御表示と関係付けられるとき、レート制御コマンドに対応して、少なくとも１つの値を備える第２の信号を条件付きで生成することと
を行なうように動作可能なコンピュータ可読媒体。
【請求項５７】
パケットを受信することと、
前記パケットを復号することと、
伝送要求への承認を発行するかどうか、または代わりに現在の伝送レートを調整するかどうかを判断することと、
前記受信されたパケットが正確に復号されたかどうかを示し、レート制御コマンドが発行されることになるかどうか、または代わりに伝送要求が承認されることになるかどうかをさらに示す第１の信号を生成することと、
前記第１の信号は、レート制御コマンドが発行されることを示すときにのみ、レート制御コマンドを備える第２の信号を生成することと
を行なうように動作可能なコンピュータ可読媒体。
【請求項５８】
確認応答または否定の確認応答のうちの１つと関係付けられる第１の値を備え、さらに第２の値を備える第１の信号を受信することと、ここで、第２の値は、伝送要求が承認されるとき、承認表示と関係付けられ、前記第２の値は、現在の伝送レートが調整されるとき、代わりにデータレート制御表示と関係付けられる、
前記第１の受信された信号の前記第２の値がレート制御表示と関係付けられるとき、レート制御コマンドに対応して、少なくとも１つの値を備える第２の信号を条件付きで受信することと
を行なうように動作可能なコンピュータ可読媒体。
【請求項５９】
パケットを伝送することと、
前記伝送されたパケットが確認応答されたかどうかを示し、レート制御コマンドが発行されることになるかどうか、または代わりに伝送要求が承認されることになるかどうかをさらに示す第１の信号を監視することと、
前記第１の信号は、レート制御コマンドが発行されることになることを示すときにのみ、前記レート制御コマンドを備える第２の信号を監視することと
を行なうように動作可能なコンピュータ可読媒体。
【手続補正２】
【補正対象書類名】明細書
【補正対象項目名】０１７９
【補正方法】変更
【補正の内容】
【０１７９】
開示されている実施形態の上記説明は、当業者が本発明を構成または使用することを可能にすべく提供されている。これらの実施形態の種々の変形は当業者には容易に明らかであり、本明細書に定義されている一般的な原理は、本発明の主旨および範囲から逸脱することなく他の実施形態に適用され得る。したがって、本発明は本明細書に示されている実施形態に制限されることを意図されるものではなく、本明細書に開示されている原理および新規な特徴と合致する最大の範囲に一致すべきものである。
以下に、出願当初の特許請求の範囲に記載された発明を付記する。
［Ｃ１］
確認応答表示およびレート制御表示を含む第１のメッセージを生成するメッセージ生成器と、
レート制御表示について条件を付けられた第２のメッセージを生成するレート制御表示とを含む装置。
［Ｃ２］
第２のメッセージが、レート制御コマンドを含むＣ１記載の装置。
［Ｃ３］
レート制御コマンドが、複数の値の１つであり、複数の値の１つ以上が、レート増加を示すＣ２記載の装置。
［Ｃ４］
レート制御コマンドが、複数の値の１つであり、複数の値の１つ以上が、レート低減を示すＣ２記載の装置。
［Ｃ５］
レート制御コマンドが、複数の値の１つであり、複数の値の１つ以上が、レート保持を示すＣ２記載の装置。
［Ｃ６］
パケットを受信する受信機と、
受信されたパケットを復号する復号器と、
メッセージ生成器であって、
第１の複数の値の１つを含む第１の信号を生成し、各値が、確認応答（acknowledgement, ACK）または否定の確認応答（negative acknowledgement, NAK）と関係付けられ、値の１つ以上が、レート制御コマンドを示し、
第１の信号の値が、レート制御コマンドを示すとき、各複数のレート制御コマンドに対応して、第２の複数の値の１つを含む第２の信号を条件付きで生成するメッセージ生成器とを含む装置。
［Ｃ７］
第１の信号を伝送し、第２の信号を条件付きで伝送する送信機をさらに含むＣ６記載の装置。
［Ｃ８］
受信機が１つ以上の伝送要求および１つ以上の自律伝送を受信するようにも動作可能である装置であって、１つ以上の伝送要求および１つ以上の自律伝送に応答して、共有資源を割り振るスケジューラをさらに含むＣ６記載の装置。
［Ｃ９］
メッセージ生成器が、伝送要求に応答して、割り振りにしたがって承認メッセージも生成するＣ８記載の装置。
［Ｃ１０］
第１の信号を受信し、レート制御表示にしたがって第２の信号を条件付きで受信する受信機と、
受信された第１の信号からレート制御表示を復号するメッセージ復号器とを含む装置。
［Ｃ１１］
第１の信号が、確認応答を含むＣ１０記載の装置。
［Ｃ１２］
第２の信号が、レート制御コマンドを含むＣ１０記載の装置。
［Ｃ１３］
レート制御コマンドが、複数の値の１つであり、複数の値の１つ以上が、レート増加を示すＣ１２記載の装置。
［Ｃ１４］
レート制御コマンドが、複数の値の１つであり、複数の値の１つ以上が、レート低減を示すＣ１２記載の装置。
［Ｃ１５］
レート制御コマンドが、複数の値の１つであり、複数の値の１つ以上が、レート保持を示すＣ１２記載の装置。
［Ｃ１６］
パケットを伝送する送信機をさらに含むＣ１０記載の装置。
［Ｃ１７］
第１の信号が、伝送されたパケットが確認応答されていないことを示すとき、送信機がパケットを再送するＣ１６記載の装置。
［Ｃ１８］
第２の信号が、レート制御コマンドを含み、送信機が、レート制御コマンドにしたがって判断されたレートで第２のパケットを伝送するＣ１６記載の装置。
［Ｃ１９］
確認応答表示およびレート制御表示を含む第１のメッセージを生成するメッセージ生成器と、
レート制御表示について条件を付けられた第２のメッセージを生成するレート制御表示とを含む基地局。
［Ｃ２０］
第１の信号を受信し、レート制御表示にしたがって第２の信号を条件付きで受信する受信機と、
受信された第１の信号からレート制御表示を復号するメッセージ復号器とを含む遠隔局。
［Ｃ２１］
確認応答表示およびレート制御表示を含む第１のメッセージを生成するメッセージ生成器と、
レート制御表示について条件を付けられた第２のメッセージを生成するレート制御表示とを含む無線通信システム。
［Ｃ２２］
第１の信号を受信し、レート制御表示にしたがって第２の信号を条件付きで受信する受信機と、
受信された第１の信号からレート制御表示を復号するメッセージ復号器とを含む無線通信システム。
［Ｃ２３］
第１の複数の値の１つを含む第１の信号を生成し、各値が、確認応答（ＡＣＫ）または否定の確認応答（ＮＡＫ）と関係付けられ、値の１つ以上が、レート制御コマンドを示すことと、
第１の信号の値が、レート制御コマンドを示すとき、各複数のレート制御コマンドに対応して、第２の複数の値の１つを含む第２の信号を条件付きで生成することとを含む方法。
［Ｃ２４］
パケットを受信することと、
パケットを復号することと、
受信されたパケットが正確に復号されたかどうか、およびレート制御コマンドが発行されることになるかどうかを示す第１の信号を生成することと、
レート制御コマンドが発行されるときに、レート制御コマンドを含む第２の信号を生成することとを含むレート制御方法。
［Ｃ２５］
第１の信号が、第１の複数の値の１つを含み、第１の複数の値の１つが、正確な復号の確認応答と、レート制御コマンドがないこととを示すＣ２４記載の方法。
［Ｃ２６］
正確な復号の確認応答と、レート制御コマンドがないこととを示す値が、先の承認を無効にするＣ２５記載の方法。
［Ｃ２７］
第１の信号が、第１の複数の値の１つを含み、第１の複数の値の１つが、正確な復号の確認応答と、レート制御コマンドとを示すＣ２４記載の方法。
［Ｃ２８］
第１の信号が、復号されたパケットの否定の確認応答と、レート制御コマンドがないこととに対応する、伝送がないことを示す値を含むＣ２４記載の方法。
［Ｃ２９］
レート制御コマンドが、第２の複数の値の１つであり、第２の複数の値の１つ以上が、レート増加を示すＣ２４記載の方法。
［Ｃ３０］
レート制御コマンドが、第２の複数の値の１つであり、第２の複数の値の１つ以上が、レート低減を示すＣ２４記載の方法。
［Ｃ３１］
レート制御コマンドが、第２の複数の値の１つであり、第２の複数の値の１つが、レート保持を示すＣ２４記載の方法。
［Ｃ３２］
第２の信号が、レート保持の伝送がないことを示す値を含むＣ３１記載の方法。
［Ｃ３３］
１つ以上の伝送要求を受信することと、
１つ以上の自律伝送を受信することと、
１つ以上の伝送要求および１つ以上の自律伝送に応答して、共有資源を割り振ることとをさらに含むＣ２４記載の方法。
［Ｃ３４］
受信された伝送要求に応答して、承認を生成することをさらに含むＣ２４記載の方法。
［Ｃ３５］
承認が生成されるときに、第２の信号が生成されないＣ３４記載の方法。
［Ｃ３６］
第１の信号を伝送することと、
レート制御コマンドが発行されるときに、第２の信号を条件付きで伝送することとをさらに含むＣ２４記載の方法。
［Ｃ３７］
承認が発行されるときに、承認を伝送することをさらに含むＣ３６記載の方法。
［Ｃ３８］
受信されたパケットが、サブパケットであるＣ２４記載の方法。
［Ｃ３９］
もしあるならば、以前に受信された対応するサブパケットに応答して、復号が行われるＣ３８記載の方法。
［Ｃ４０］
第１の複数の値の１つを含む第１の信号を受信し、各値が、確認応答（ＡＣＫ）または否定の確認応答（ＮＡＫ）と関係付けられ、値の１つ以上が、レート制御コマンドを示すことと、
第１の受信された信号の値が、レート制御コマンドを示すとき、各複数のレート制御コマンドに対応して、第２の複数の値の１つを含む第２の信号を条件付きで受信することとを含むレート制御方法。
［Ｃ４１］
パケットを伝送することと、
伝送されたパケットが確認応答されたかどうか、およびレート制御コマンドが発行されることになるかどうかを示す第１の信号を受信することと、
レート制御コマンドが発行されるときに、レート制御コマンドを含む第２の信号を受信することとを含むレート制御方法。
［Ｃ４２］
第１の信号が、第１の複数の値の１つを含み、第１の複数の値の１つが、正確な復号の確認応答と、レート制御コマンドがないこととを示すＣ４１記載の方法。
［Ｃ４３］
正確な復号の確認応答と、レート制御コマンドがないこととを示す値が、先の承認を無効にするＣ４２記載の方法。
［Ｃ４４］
第１の信号が、第１の複数の値の１つを含み、第１の複数の値の１つが、正確な復号の確認応答と、レート制御コマンドとを示すＣ４１記載の方法。
［Ｃ４５］
第１の信号が、復号されたパケットの否定の確認応答と、レート制御コマンドがないこととに対応する、伝送がないことを示す値を含むＣ４１記載の方法。
［Ｃ４６］
レート制御コマンドが、第２の複数の値の１つであり、第２の複数の値の１つ以上が、レート増加を示すＣ４１記載の方法。
［Ｃ４７］
レート制御コマンドが、第２の複数の値の１つであり、第２の複数の値の１つ以上が、レート低減を示すＣ４１記載の方法。
［Ｃ４８］
レート制御コマンドが、第２の複数の値の１つであり、第２の複数の値の１つが、レート保持を示すＣ４１記載の方法。
［Ｃ４９］
第２の信号が、レート保持の伝送がないことを示す値を含むＣ４８記載の方法。
［Ｃ５０］
第１の受信された信号が、伝送されたパケットが確認応答されなかったことを示すときに、パケットを再送することをさらに含むＣ４１記載の方法。
［Ｃ５１］
第１の受信された信号が、伝送されたパケットが確認応答されたことを示すときに、第２のパケットを伝送することをさらに含むＣ４１記載の方法。
［Ｃ５２］
レート制御コマンドが、第２の信号上で受信されるときに、第２のパケットが、レート制御コマンドにしたがって判断されるレートで伝送されるＣ４１記載の方法。
［Ｃ５３］
伝送されたパケットが、サブパケットであるＣ４１記載の方法。
［Ｃ５４］
第１の複数の値の１つを含む第１の信号を生成する手段であって、各値が、確認応答（ＡＣＫ）または否定の確認応答（ＮＡＫ）と関係付けられ、値の１つ以上が、レート制御コマンドを示す手段と、
第１の信号の値がレート制御コマンドを示すとき、各複数のレート制御コマンドに対応して、第２の複数の値の１つを含む第２の信号を条件付きで生成する手段とを含む装置。
［Ｃ５５］
パケットを受信する手段と、
パケットを復号する手段と、
受信されたパケットが正確に復号されたかどうか、およびレート制御コマンドが発行されることになるかどうかを示す第１の信号を生成する手段と、
レート制御コマンドが発行されるときに、レート制御コマンドを含む第２の信号を生成する手段とを含むレート制御方法。
［Ｃ５６］
第１の複数の値の１つを含む第１の信号を受信する手段であって、各値が、確認応答（ＡＣＫ）または否定の確認応答（ＮＡＫ）と関係付けられ、値の１つ以上が、レート制御コマンドを示す手段と、
第１の受信された信号の値が、レート制御コマンドを示すときに、各複数のレート制御コマンドに対応して、第２の複数の値の１つを含む第２の信号を条件付きで受信する手段とを含むレート制御方法。
［Ｃ５７］
パケットを伝送する手段と、
伝送されたパケットが確認応答されたかどうか、およびレート制御コマンドが発行されることになるかどうかを示す第１の信号を受信する手段と、
レート制御コマンドが発行されるときに、レート制御コマンドを含む第２の信号を受信する手段とを含むレート制御方法。
［Ｃ５８］
第１の複数の値の１つを含む第１の信号を生成する手段であって、各値が、確認応答（ＡＣＫ）または否定の確認応答（ＮＡＫ）と関係付けられ、値の１つ以上が、レート制御コマンドを示す手段と、
第１の信号の値が、レート制御コマンドを示すときに、各複数のレート制御コマンドに対応して、第２の複数の値の１つを含む第２の信号を条件付きで生成する手段とを含む無線通信システム。
［Ｃ５９］
第１の複数の値の１つを含む第１の信号を受信する手段であって、各値が、確認応答（ＡＣＫ）または否定の確認応答（ＮＡＫ）と関係付けられ、値の１つ以上が、レート制御コマンドを示す手段と、
第１の受信された信号の値が、レート制御コマンドを示すときに、各複数のレート制御コマンドに対応して、第２の複数の値の１つを含む第２の信号を条件付きで受信する手段とを含む無線通信システム。
［Ｃ６０］
第１の複数の値の１つを含む第１の信号を生成するステップであって、各値が、確認応答（ＡＣＫ）または否定の確認応答（ＮＡＫ）と関係付けられ、値の１つ以上が、レート制御コマンドを示すステップと、
第１の信号の値が、レート制御コマンドを示すときに、各複数のレート制御コマンドに対応して、第２の複数の値の１つを含む第２の信号を条件付きで生成するステップとを行うように動作可能なコンピュータ読み出し可能媒体。
［Ｃ６１］
パケットを受信するステップと、
パケットを復号するステップと、
受信されたパケットが正確に復号されたかどうか、およびレート制御コマンドが発行されることになるかどうかを示す第１の信号を生成するステップと、
レート制御コマンドが発行されるときに、レート制御コマンドを含む第２の信号を生成するステップとを行うように動作可能なコンピュータ読み出し可能媒体。
［Ｃ６２］
第１の複数の値の１つを含む第１の信号を受信するステップであって、各値が、確認応答（ＡＣＫ）または否定の確認応答（ＮＡＫ）と関係付けられ、値の１つ以上が、レート制御コマンドを示すステップと、
第１の受信された信号の値が、レート制御コマンドを示すときに、各複数のレート制御コマンドに対応して、第２の複数の値の１つを含む第２の信号を条件付きで受信するステップとを行うように動作可能なコンピュータ読み出し可能媒体。
［Ｃ６３］
パケットを伝送するステップと、
伝送されたパケットが確認応答されたかどうか、およびレート制御コマンドが発行されることになるかどうかを示す第１の信号を受信するステップと、
レート制御コマンドが発行されるときに、レート制御コマンドを含む第２の信号を受信するステップとを行うように動作可能なコンピュータ読み出し可能媒体。